(57)【要約】【課題】視聴映像そのものの表示形態をタイマー残時間に応じて可変することにより、オフタイマー時刻の到来を視聴者に報知することが可能な映像表示装置を提供する。【解決手段】電源オフ時刻をタイマー設定するためのオフタイマー手段を備えた映像表示装置であって、前記電源オフ時刻ｔ２から遡った所定期間内において、映像表示形態を時間経過に伴い可変制御する制御手段１２を設けたものである。制御手段１２の指示を受けて、映像処理部２では、入力映像信号の輝度、色を可変する。また、光源駆動部７では、バックライト輝度を可変する。さらに、映像処理部２２では、入力映像信号の大きさ、駒落とし数を可変する。【選択図】　図１
2004096136.tif 000002
【特許請求の範囲】
【請求項１】
電源オフ時刻をタイマー設定するためのオフタイマー手段を備えた映像表示装置であって、
前記電源オフ時刻から遡った所定期間内において、映像表示形態を時間経過に伴い可変制御する制御手段を設けたことを特徴とする映像表示装置。
【請求項２】
前記制御手段は、入力映像信号の輝度レベルを時間経過に伴い可変制御することを特徴とする前記請求項１に記載の映像表示装置。
【請求項３】
前記制御手段は、入力映像信号の色レベルを時間経過に伴い可変制御することを特徴とする前記請求項１又は２に記載の映像表示装置。
【請求項４】
前記制御手段は、入力映像信号の大きさを時間経過に伴い可変制御することを特徴とする前記請求項１乃至３のいずれかに記載の映像表示装置。
【請求項５】
前記制御手段は、入力映像信号のフレームレートを時間経過に伴い可変制御することを特徴とする前記請求項１乃至４のいずれかに記載の映像表示装置。
【請求項６】
前記制御手段は、バックライト光源の発光輝度を時間経過に伴い可変制御することを特徴とする前記請求項１乃至５のいずれかに記載の映像表示装置。
【請求項７】
タイマー残時間をオンスクリーン表示するためのＯＳＤ手段を備えたことを特徴とする前記請求項１乃至６のいずれかに記載の映像表示装置。
【請求項８】
前記電源オフ時刻から遡った所定期間内において、オンスクリーン表示形態を時間経過に伴い可変制御する制御手段を設けたことを特徴とする前記請求項７に記載の映像表示装置。
【請求項９】
前記制御手段は、オンスクリーン表示信号の輝度レベルを時間経過に伴い可変制御することを特徴とする前記請求項８に記載の映像表示装置。
【請求項１０】
前記制御手段は、オンスクリーン表示信号の色レベルを時間経過に伴い可変制御することを特徴とする前記請求項８又は９に記載の映像表示装置。
【請求項１１】
前記制御手段は、オンスクリーン表示信号の大きさを時間経過に伴い可変制御することを特徴とする前記請求項８乃至１０のいずれかに記載の映像表示装置。
【請求項１２】
前記電源オフ時刻の到来をオンスクリーン表示するためのＯＳＤ手段を備えたことを特徴とする前記請求項１乃至１１のいずれかに記載の映像表示装置。
【発明の詳細な説明】
【０００１】
【発明の属する技術分野】
本発明は、テレビジョン受像機等の電源オフ時刻をタイマー設定するためのオフタイマー手段を備えた映像表示装置に関するものであり、特にオフタイマー時刻の到来を視聴者に報知することが可能な映像表示装置に関するものである。
【０００２】
【従来の技術】
従来から、オフタイマーの機能を持つテレビジョン受像機が一般的に知られている。オフタイマー機能というのは、あらかじめリモコン等を用いてテレビジョン受信機に電源をオフする時刻を登録しておき、内蔵のタイマー回路が予定時間になると、自動的に電源をオフするものである。
【０００３】
この種のテレビジョン受像機において、例えば特開昭５８−１８２９７０号公報には、電源オフ時刻到来時に表示画面が途中で消失して視聴者が戸惑うのを防止するために、オフタイマー設定時にある一定時間経過する毎に画面上にタイマー残量時間をスポット的に表示することが提案されている。
【０００４】
また、特開昭５９−４１９７９号公報には、タイマーが検出する規定時間前後の一定時間は受信チャンネル表示の色をそれまでと変更することにより、規定時間が経過したことを知らずに見ていて突然に電源が切れて驚くようなことをなくすものが開示されている。
【０００５】
【発明が解決しようとする課題】
しかしながら、上述した従来の技術においては、残時間やチャンネルのＯＳＤ（オンスクリーンディスプレイ）表示によって、電源オフ時刻の到来を視聴者に報知しているが、通常このようなＯＳＤ表示は画面端にて行われるため、視聴者にとっては気付き難いという問題がある。
【０００６】
また、ＯＳＤ表示を気付き易くするために、画面中央部に拡大して表示した場合は、視聴者にとって本来の映像が邪魔されることによる不快感を招来するという問題がある。
【０００７】
本発明は、上記課題に鑑みてなされたものであり、視聴映像そのものの表示形態をタイマー残時間に応じて可変することにより、オフタイマー時刻の到来を視聴者に報知することが可能な映像表示装置を提供するものである。
【０００８】
【課題を解決するための手段】
本願の第１の発明は、電源オフ時刻をタイマー設定するためのオフタイマー手段を備えた映像表示装置であって、前記電源オフ時刻から遡った所定期間内において、映像表示形態を時間経過に伴い可変制御する制御手段を設けたことを特徴とする。
【０００９】
本願の第２の発明は、前記制御手段が、入力映像信号の輝度レベルを時間経過に伴い可変制御することを特徴とする。
【００１０】
本願の第３の発明は、前記制御手段が、入力映像信号の色レベルを時間経過に伴い可変制御することを特徴とする。
【００１１】
本願の第４の発明は、前記制御手段が、入力映像信号の大きさを時間経過に伴い可変制御することを特徴とする。
【００１２】
本願の第５の発明は、前記制御手段が、入力映像信号のフレームレートを時間経過に伴い可変制御することを特徴とする。
【００１３】
本願の第６の発明は、前記制御手段が、バックライト光源の発光輝度を時間経過に伴い可変制御することを特徴とする。
【００１４】
本願の第７の発明は、さらに、タイマー残時間をオンスクリーン表示するためのＯＳＤ手段を備えたことを特徴とする。
【００１５】
本願の第８の発明は、前記電源オフ時刻から遡った所定期間内において、オンスクリーン表示形態を時間経過に伴い可変制御する制御手段を設けたことを特徴とする。
【００１６】
本願の第９の発明は、前記制御手段が、オンスクリーン表示信号の輝度レベルを時間経過に伴い可変制御することを特徴とする。
【００１７】
本願の第１０の発明は、前記制御手段が、オンスクリーン表示信号の色レベルを時間経過に伴い可変制御することを特徴とする。
【００１８】
本願の第１１の発明は、前記制御手段が、オンスクリーン表示信号の大きさを時間経過に伴い可変制御することを特徴とする。
【００１９】
本願の第１２の発明は、前記電源オフ時刻の到来をオンスクリーン表示するためのＯＳＤ手段を備えたことを特徴とする。
【００２０】
【発明の実施の形態】
以下、本発明の映像表示装置の第１実施形態を、例えば液晶表示パネルを用いたテレビジョン受像機について、図１乃至図３とともに詳細に説明する。
【００２１】
ここで、図１は本実施形態の映像表示装置における要部概略構成を示すブロック図、図２は本実施形態の映像表示装置におけるオフタイマー時の映像輝度の変化例を示す説明図、図３は本実施形態の映像表示装置におけるオフタイマー時の表示形態の変化例を示す説明図である。
【００２２】
本実施形態の映像表示装置を示す図１において、１はアンテナ（図示せず）より受信されたテレビ放送波から指定チャンネルのビデオ信号を出力するチューナ、２はチューナ１で選局されたビデオ信号に対して、各種映像処理を行うための映像処理部、３は視聴チャンネル、タイマー残時間等の各種情報をオンスクリーン表示するためのＯＳＤ処理部である。
【００２３】
４は映像処理部２及び／又はＯＳＤ処理部３の出力信号に基づいて、液晶表示パネル５の電圧印加電極を駆動する電極駆動部、６は液晶表示パネル５の裏面に配置された直下型又はサイド照射型のバックライト光源、７は該バックライト光源６の消灯／点灯を駆動制御するための光源駆動部である。尚、バックライト光源６は、蛍光灯ランプの他、直下型又はサイド照射型のＬＥＤ（発光ダイオード）光源など種々の光源を用いることが可能である。
【００２４】
８は当該装置の電源部、９は電源部８のオン／オフを駆動制御するための電源駆動部である。また、１０はオフタイマー時刻の設定などの各種命令を指示入力するためのリモコン、１１はリモコン１０から射出された赤外線信号を受光するためのリモコン受光部、１２はリモコン受光部１１で受光したリモコン信号に基づいて、各構成部品の動作制御を行うマイコンである。
【００２５】
尚、本実施形態においては、指示入力手段として、リモコン１０を用いているが、装置本体に設けた操作部（図示せず）により、各種命令を指示入力するようにしても良いことは言うまでもない。
【００２６】
次に、本実施形態におけるオフタイマー動作時のマイコン処理について、図２及び図３とともに説明する。まず、リモコン１０によって指示入力された電源オフ時刻ｔ２の所定時間前である時刻ｔ１になると、マイコン１２はＯＳＤ処理部３に対して、タイマー残時間をオンスクリーン表示するよう指示する。
【００２７】
同時に、マイコン１２は映像処理部２に対して、入力映像信号の輝度レベルを低下させるよう指示を出す。この動作は、図２に示すように、電源オフ時刻ｔ２が到来するまで連続的に行われる。その結果、図３に示すように、表示映像輝度は電源オフ時刻ｔ２が近づくに従って、順次低下することとなる。
【００２８】
ここで、マイコン１２は映像処理部２に対して、入力映像信号の輝度レベルではなく、入力映像信号の色レベルを可変制御するようにしても良い。例えば、電源オフ時刻ｔ２が近づくに従って、色が落ちたモノクロ映像が表示されるように制御しても良い。尚、上述の輝度レベル、色レベルの双方を時間経過に伴い可変制御するようにしても良いことは明らかである。
【００２９】
そして、電源オフ時刻ｔ２が到来した時点で、マイコン１２は電源制御部９に対して電源オフの指示を行うことにより、当該装置の電源がオフされて、オフタイマー動作が完了する。
【００３０】
以上のように、本実施形態の映像表示装置においては、電源オフ時刻ｔ２から遡った所定期間内において、入力映像信号の輝度レベル及び／又は色レベルを時間経過に伴い可変制御することによって、オフタイマー時刻の到来を確実且つ明確に視聴者に報知することが可能であり、突然に電源が切れて驚くようなことを防止することができる。
【００３１】
ここで、タイマー残時間を示すＯＳＤ表示はあくまでも補助的なものであり、視聴映像の邪魔にならない画面端に小さく表示しておけば良い。尚、本実施形態では、タイマー残時間を示すＯＳＤ表示を行っているが、入力映像信号の輝度レベル、色レベルの変化によって、視聴者は十分に電源オフ時刻ｔ２の到来を認知することができるので、このようなＯＳＤ表示自体を廃止することも可能である。
【００３２】
但し、輝度レベルが低下していった後に電源が切れた場合、視聴者が装置の故障と勘違いする可能性もなくはないが、輝度変化のないＯＳＤ表示によってこのような勘違いも防止することができる。また、タイマー残時間を示すＯＳＤ表示の輝度、色、大きさの少なくとも１つ以上を、時間経過とともに変化させたり、さらに、念のために電源オフ直前に「オフタイマー時刻到来」「電源を遮断します」などの文字或いはキャラクターをＯＳＤ表示するような手段を講じても良い（図３の例では、ＯＳＤ表示の輝度を時間経過に伴い可変させている）。
【００３３】
また、本実施形態の映像表示装置においては、図２に示すように、映像表示形態を時間経過とともに直線的に変化させているが、これに限らず、時間経過とともに段階的に変化させたり、非線形変化させるように制御しても良いことは明らかである。
【００３４】
さらに、上記第１実施形態においては、電源オフ時刻ｔ２が近づくに伴って映像表示輝度を低下させる手段として、映像処理部２による入力映像信号の映像処理を行うように構成しているが、特別な映像信号処理を行わず、液晶表示パネル５のバックライト光源６の発光輝度を低下させるように、マイコン１２から光源駆動部７に指示を行うようにして実現することも可能である。
【００３５】
これによっても、オフタイマー時刻の到来を確実且つ明確に視聴者に報知することが可能であり、突然に電源が切れて驚くようなことを防止することができる。この場合、ＯＳＤ表示の表示輝度も低下してしまうので、視聴者が装置の故障と勘違いするのを防止するため、タイマー残時間を示すＯＳＤ表示の色、大きさを、時間経過とともに変化させたり、または、念のために電源オフ直前に「オフタイマー時刻到来」「電源を遮断します」などの文字或いはキャラクターをＯＳＤ表示するような手段を講じても良い。
【００３６】
次に、本発明の映像表示装置の第２実施形態を、例えば液晶表示パネルを用いたテレビジョン受像機について、図４乃至図６とともに説明するが、上記第１実施形態と同一部分には同一符号を付し、その説明は省略する。
【００３７】
ここで、図４は本実施形態の映像表示装置における要部概略構成を示すブロック図、図５は本実施形態の映像表示装置におけるオフタイマー時の映像面積の変化例を示す説明図、図６は本実施形態の映像表示装置におけるオフタイマー時の表示形態の変化例を示す説明図である。
【００３８】
本実施形態の映像表示装置は、図４に示すように、リモコン１０によって指示入力された電源オフ時刻ｔ２の所定時間前である時刻ｔ１になると、マイコン１２からの指示に基づいて、入力映像信号の大きさ（縮小率）を変化させる映像処理部２２を設けている。
【００３９】
すなわち、図５に示すように、時刻ｔ１から電源オフ時刻ｔ２が到来するまでの間、連続的に映像面積が小さくなるように、順次縮小率を大きくするように可変制御している。その結果、図６に示すように、黒色や青色の背景画面に対して映像表示面積が、電源オフ時刻ｔ２が近づくに従って、画面中央部分に収縮することとなる。
【００４０】
そして、電源オフ時刻ｔ２が到来した時点で、映像表示面積は消失して背景画面だけとなり、マイコン１２は電源制御部９に対して電源オフの指示を行う。これにより、当該装置の電源がオフされて、オフタイマー動作が完了する。
【００４１】
以上のように、本実施形態の映像表示装置においては、電源オフ時刻ｔ２から遡った所定期間内において、入力映像信号の大きさを時間経過に伴い可変制御することによって、オフタイマー時刻の到来を確実且つ明確に視聴者に報知することが可能であり、突然に電源が切れて驚くようなことを防止することができる。
【００４２】
尚、上記映像処理部２２としては、入力映像信号の大きさ（空間解像度）を可変処理するものの他に、入力映像信号のフレームレート（時間解像度）、すなわち駒落とし数を可変処理するものを用いても良い。この場合、時刻ｔ１から電源オフ時刻ｔ２の間において、時間経過に伴い入力映像信号のフレームレートを小さく（駒落とし数を増大）するように可変制御することにより、オフタイマー時刻の到来を確実且つ明確に視聴者に報知する。また、時間経過とともに空間解像度及び時間解像度の双方を可変制御するようにしても良いことは言うまでもない。
【００４３】
ここで、タイマー残時間を示すＯＳＤ表示はあくまでも補助的なものであり、視聴映像の邪魔にならない画面端に小さく表示しておけば良い。尚、本実施形態では、タイマー残時間を示すＯＳＤ表示を行っているが、映像表示面積、駒落とし数の変化によって、視聴者は十分に電源オフ時刻ｔ２の到来を認知することができるので、このようなＯＳＤ表示自体を廃止することも可能である。
【００４４】
但し、タイマー残時間を示すＯＳＤ表示の輝度、色、大きさの少なくとも一つ以上を、時間経過とともに変化させたり、さらに、念のために電源オフ直前に「オフタイマー時刻到来」「電源を遮断します」などの文字をＯＳＤ表示するような手段を講じて、より明確に電源オフ時刻ｔ２の到来を視聴者に報知するようにしても良い（図６の例では、ＯＳＤ表示の大きさを時間経過に伴い可変させている）。
【００４５】
また、本実施形態の映像表示装置においては、図５に示すように、映像表示面積を時間経過とともに直線的に変化させているが、これに限らず、時間経過とともに段階的に変化させたり、非線形変化させるように制御しても良いことは明らかである。
【００４６】
さらに、上記第１実施形態として説明したような、入力映像信号の輝度、色の可変制御、或いはバックライト輝度の可変制御と組み合わせて、より確実に電源オフ時刻ｔ２の到来を視聴者に報知するようにしても良いことは言うまでもない。
【００４７】
また、上記本発明の実施形態においては、液晶表示パネルを用いたテレビジョン受像機について説明したが、本発明は表示デバイスとして液晶表示パネルを用いたものに限られず、例えばＣＲＴなど各種表示デバイスを用いたものに適用しても良いことは明らかである。さらに、本発明はテレビジョン受像機に限られず、各種のディスプレイモニタに適用しても良いことは言うまでもない。
【００４８】
さらに、本発明において、時間経過に伴い可変する映像表示形態は、電源オフ時刻の到来を視聴者に明確に報知可能なものであれば、上述した実施形態のものに限定されないことは明らかである。
【００４９】
【発明の効果】
本発明の液晶表示装置は、上記のような構成としているので、視聴映像そのものの表示形態をタイマー残時間に応じて可変することにより、オフタイマー時刻の到来を確実且つ明確に視聴者に報知することが可能となる。
【図面の簡単な説明】
【図１】本発明の映像表示装置の第１実施形態における要部概略構成を示すブロック図である。
【図２】本発明の液晶表示装置の第１実施形態におけるオフタイマー時の映像輝度の変化例を示す説明図である。
【図３】本発明の液晶表示装置の第１実施形態におけるオフタイマー時の表示形態の変化例を示す説明図である。
【図４】本発明の映像表示装置の第２実施形態における要部概略構成を示すブロック図である。
【図５】本発明の液晶表示装置の第２実施形態におけるオフタイマー時の映像輝度の変化例を示す説明図である。
【図６】本発明の液晶表示装置の第２実施形態におけるオフタイマー時の表示形態の変化例を示す説明図である。
【符号の説明】
１　チューナ
２　映像処理部
３　ＯＳＤ処理部
４　液晶パネル駆動部
５　液晶表示パネル
６　バックライト光源
７　光源駆動部
８　電源部
９　電源駆動部
１０　リモコン
１１　リモコン受光部
１２　マイコン
２２　映像処理部
【図１】
2004096136.tif 000003
【図２】
2004096136.tif 000004
【図３】
2004096136.tif 000005
【図４】
2004096136.tif 000006
【図５】
2004096136.tif 000007
【図６】
2004096136.tif 000008